(57)【要約】【課題】切削と骨粉収集とが同時作業ででき、また、小型で狭い口内であっても作業性がよく、簡単に分割でき、採取した骨粉等の取り出し収集や洗浄が容易にでき、しかもフィルターの洗浄等のやっかいな作業もなく、また、他人の骨粉がフィルターやハウジング部内に残ることもなく、医療上問題となることもない 歯科用 骨粉収集装置提供すること。【解決手段】骨粉収集部２１を内部に備えた骨粉収集器１を棒状切削具２に進退自在に装着するとともに、骨粉収集器１を、切削具２に挿通されるもので、挿通孔２０及び骨粉収集部２１を備えたハウジング１４と、ハウジング１４内で段付部１９に当接させられるスプリング収納座金８と、スプリング収納座金８に対し反対方向への移動が規制された座金５と、スプリング収納座金８及び座金５間に、両者を離反方向に付勢するコイルスプリング６と、座金５及びコイルスプリング６を収納する凹部７を備え、ハウジング１４の開放端側を着脱自在に閉塞する蓋体９とから構成している。【選択図】図１
0003129142.tif 000002
【実用新案登録請求の範囲】
【請求項１】
歯科用ハンドピースの回転するチャックに着脱自在に装着され、インプラント植設部又は別の部位から補填する骨粉を切削収集する歯科用骨粉収集装置であって、
先端に切削部を形成した棒状切削具を前記チャックに装着し、前記切削部から送り込まれる骨粉を収集する骨粉収集部を内部に備えた骨粉収集器を前記棒状切削具に所定範囲で進退自在に装着するとともに、
前記骨粉収集器を、
底部に前記切削具を挿通する挿通孔及び前記骨粉収集部を備えた有底筒体状のハウジングと、該ハウジング内で前記切削具に挿通させられ、段付部に当接させられるスプリング収納座金と、前記切削具に挿通され前記スプリング収納座金に対し反対方向への移動が規制された座金と、前記スプリング収納座金及び前記座金間に前記切削具に挿通して組み込まれ、両者を離反方向に付勢するコイルスプリングと、前記座金及び前記コイルスプリングを収納する凹部を備え、前記切削具に挿通させられ、前記ハウジングの開放端側を着脱自在に閉塞する蓋体とから構成していることを特徴とする歯科用骨粉収集装置。
【請求項２】
請求項１において、前記骨粉収集器は、オートクレーブによる熱に耐えられる材料にて製作されていることを特徴とする歯科用骨粉収集装置。
【請求項３】
請求項１又は２において、前記ハウジングの骨粉収集部は、前記切削具及び前記スプリング収納座金によって閉空間が構成されていることを特徴とする歯科用骨粉収集装置。
【請求項４】
請求項１〜３のいずれか１項において、前記ハウジングの壁に形成されたＬ字状ガイド兼ストッパー溝と、前記蓋体に突出させ、前記ガイド兼ストッパー溝に係合離脱させるハンドルストッパーとにより前記蓋体を前記ハウジングから着脱自在としていることを特徴とする歯科用骨粉収集装置。
【請求項５】
請求項１〜４のいずれか１項において、前記ハウジングの先端外表面の挿通孔周囲に適宜間隔で注水ガイド溝を設けたことを特徴とする歯科用骨粉収集装置。
【考案の詳細な説明】
【技術分野】
【０００１】
本考案は、顎の骨にインプラントを植設時に使用する補填用の骨粉を収集する骨粉収集装置に係り、骨分の収集を衛生的に効率的に行え、且つ、装置の組み立て、解体、ドリル等の交換を簡単なワンタッチ方式とし、かつ滅菌処理と洗浄を容易にし、細菌による感染症を防止する骨粉収集装置に関する。
【背景技術】
【０００２】
この種、歯科用骨粉収集装置としては、ドリル等で削り取った際に、その骨片を口内に差し込まれた吸引チップを通して吸引し、グリップ部先端に装着されたフィルターにてろ過し、フィルターを固定している固定具を取り外し、採取している（例えば、特許文献１参照）。
【特許文献１】特開２００５−１３７４２７
【考案の開示】
【考案が解決しようとする課題】
【０００３】
従来のこの種装置では、切削はドリルで、採取は吸引装置で行うため、口腔内の不純物又は、汚染物質も同時に採取されるという問題、さらには、効率の良い採集ができないという問題と、狭い口内であるため作業性が良くないと言う問題があった。また、装置が別個であり、複雑な機器の構成であるため、採取した骨粉等の取り出し採集や洗浄が大変である。また、フィルターの洗浄等のやっかいな作業があり、他人の骨粉がフィルターやハウジング部内に残ることもあり、医療上問題となることもある。
【課題を解決するための手段】
【０００４】
このような課題を解決するため、本考案は、歯科用ハンドピースの回転するチャックに着脱自在に装着され、インプラント植設部又は、別の部位から補填する骨粉を切削収集する歯科用骨粉収集装置であって、先端に切削部を形成した棒状切削具を前記チャックに装着し、前記切削部から送り込まれる骨粉を収集する骨粉収集部を内部に備えた骨粉収集器を前記棒状切削具に所定範囲で進退自在に装着するとともに、前記骨粉収集器を、底部に前記切削具を挿通する挿通孔及び前記骨粉収集部を備えた有底筒体状のハウジングと、該ハウジング内で前記切削具に挿通させられ、段付部に当接させられるスプリング収納座金と、前記切削具に挿通され前記スプリング収納座金に対し反対方向への移動が規制された座金と、前記スプリング収納座金及び前記座金間に前記切削具に挿通して組み込まれ、両者を離反方向に付勢するコイルスプリングと、前記座金及び前記コイルスプリングを収納する凹部を備え、前記切削具に挿通させられ、前記ハウジングの開放端側を着脱自在に閉塞する蓋体とから構成していることを特徴とする歯科用骨粉収集装置としている。
【考案の効果】
【０００５】
本考案に係る骨粉収集装置によれば、切削と採取とを同一の装置で行うため、口腔内の不純物が採取されず衛生的で、切削と骨粉収集とが同時作業ででき、また、小型となるため、狭い口内であっても作業性がよい。また、歯科用骨粉収集装置自体も簡単に分割でき、採取した骨粉等の取り出し収集や洗浄が容易にできる。
【０００６】
また、フィルターの洗浄等のやっかいな作業もなく、また、他人の骨粉がフィルターやハウジング部内に残ることもなく、医療上問題となることもない。
【０００７】
また、上記2ユニットと1部材の３構成部材は、分解、組み立てが簡単なため、構成部材の洗浄が十分にできるので他人の切削骨粉の残材も無く、さらに構成部材を金属製のため規定の13５℃以上のオートクレープ処理で滅菌を完璧に施し、最も危険な感染症を防止でき、安全で衛生的であり、その上、構造がコンパクトで単純なため軽量で安価に製造できる。
【０００８】
さらに、ハウジング部の下端内壁、即ち骨粉が収集される中空部の内壁を曲面とし切削した骨粉を確実、容易に刷毛等の道具を用いずに収集用のトレー等に収集できると共に、洗浄も容易になる。また、ハウジング部のドリルの挿入孔近傍外周壁面には放射状に刻設した複数本の注水用ガイド溝を設け、ドリルに対し注水配分を均一にして冷却すると共に、骨粉が死滅しないように温度上昇を阻止できる。
【考案を実施するための最良の形態】
【０００９】
以下に、本考案に係る歯科用骨粉収集装置の一実施例を示す図面を用いて本考案を説明する。図１は本考案にかかる歯科用骨粉収集装置の一部破断して示す正面図であり、図２は平面図であり、図３は底面図である。図４はハウジングの正面図であり、図５、６は組み込んだスプリングが伸びた状態と圧縮された状態のそれぞれを示す棒状切削具であり、図７は蓋体の正面図である。
【００１０】
歯科用骨粉収集装置は、歯科用ハンドピースＢの回転するチャックＣに着脱自在に装着されており、歯科インプラント治療において、インプラント植設部又は、別の部位から骨造成のため補填する骨粉Ａを切削収集する。
【００１１】
歯科用骨粉収集装置は、大きく棒状切削具２と骨粉収集器１とから構成されている。棒状切削具２は、ドリルのようなもので、図５，６に示されるように先端に切削部３が形成され、この切削部３を境に棒状の径が細くなり、ここに段突き部３ａが形成され、さらに詳述しないけれども後端がチャックＣに装着される形状とされている。
【００１２】
骨粉収集器１は、切削部３から切削によって送り込まれる骨粉Ａを収集する骨粉収集部２１を内部に備え、棒状切削具２に軸方向所定範囲で進退自在に装着されるハウジング１４、棒状切削具２に組み付けられているコイルスプリング６等およびハウジング１４の中空部１５の開口を塞ぐ蓋体９から構成されている。
【００１３】
このハウジング１４は、図１から図４に示されるように、例えば、太さ７〜９mmφで、長さが約13〜１６mm位の有底筒体状を呈し、底部に棒状切削具２を挿通する挿通孔２０及び骨粉収集部２１を備えている。この骨粉収集部２１は、段付部１９位置で開口側の中空部１５より縮径され、骨粉Ａが綺麗に取れるように角を作らず曲面で滑らかに形成され、切削具２及びスプリング収納座金８によって閉空間が構成されている。
【００１４】
ハウジング１４の後部側面には、軸方向でハウジング１４の後端に抜ける縦溝１７ａと縦溝１７ａに直交し外周面に沿った横溝１７ｂとからなるＬ字状ガイド兼ストッパー溝１７とが中空部１５に達するように設けられている。この横溝１７ｂの長さは、図２に示すθで表され、ここでは約１２０度である。
【００１５】
また、ハウジング１４の先端外表面１８には、回転阻止をし易くするため、ここでは８個の面取りがなされ、さらに、挿通孔２０の周囲に挿通孔２０から放射状に複数の注水ガイド溝２２が適宜間隔で設けられている。注水ガイド溝２２は、切削具２を使用することにより、発生する切削具２の熱を冷ますため、図外の水供給装置からハウジング１４の外周に掛けられた水を切削具２に届きやすくしている。これにより、ハウジング１４自体、切削具２、切削され切削具２に付着して上昇させられる骨粉Ａを冷やし、結局、骨粉Ａの細胞が損傷を受けないといわれる４５℃以下に保っている。
【００１６】
図５，６に示すように、このハウジング１４が組み付けられる位置で、段付部１９に当接させられるスプリング収納座金８と、切削具２に挿通されスプリング収納座金８に対し反対方向への移動がＥリングなどの固定具４で規制された座金５と、スプリング収納座金８及び座金５間に切削具２に挿通して組み込まれ、両者を離反方向に付勢するコイルスプリング６とが、棒状切削具２に挿通させられ、組み付けられている。スプリング収納座８は、コイルスプリング６を受ける深さｄの寸法１〜２mmの収納凹部７を備えている。
【００１７】
また、蓋体９は、円筒状を呈するスプリング収納体１０にその外側面にＬ字状のハンドルストッパー１３が固定されている。スプリング収納体１０は、切削具２に挿通させられる挿着孔１１及び挿着孔１１より大きい、座金５及びコイルスプリング６を収納する凹部１２を備えている。スプリング収納座金８は、コイルスプリング６を受ける深さｄの寸法  mmの収納する凹部７を備えている。
【００１８】
そして蓋体９は、図５に示す切削具２に切削部３側からコイルスプリング６等が組み付けられた位置に挿通されたハウジング１４に対し、ハウジング１４の開放端側を閉塞する。具体的には、蓋体９に固定されたハンドルストッパー１３をハウジング１４の縦溝１７ａに臨ませ、蓋体９をハウジング１４の中空部１５に差し込み、ハンドルストッパー１３を横溝１７ｂに沿って突き当たるまで移動させる。蓋体９を外すには、この逆の動作を行えばよい。したがって、蓋体９はハウジング１４に着脱自在にされている。
【００１９】
歯科用骨粉収集装置を構成する切削具２及び骨粉収集器１は、人の口の中に入れるものであり、また使い捨てではないので、煮沸等の消毒をする必要があるため、耐熱性、耐錆性、耐摩耗性が必要で、ステンレス材料とかメッキ等を考慮することが好ましい。
【００２０】
特に、次の患者に使用するので、仮に他人の骨粉Ａが付着していたとしてもその細胞やその他病原菌を死滅させておくため、オートクレーブで消毒する。したがって、切削具２及び骨粉収集器１は、オートクレーブによる熱に耐えられる材料にて製作されている。
【００２１】
次に、この歯科用骨粉収集装置の使用法を説明する。
それぞれ別個に洗浄消毒されていたコイルスプリング６等が組み付けられた切削具２とハウジング１４と蓋体９とを組み付ける。まず、ハウジング１４に組み付けられた切削工具２を切削部３が挿通孔２０を貫通するように差し込み、スプリング収納座８が段差部１９に当接するまで押し込んでおく。次に、蓋体９を切削具２の後端から挿通させ、ハンドルストッパー１３を縦溝１７ａに合わせて押し込み、横溝１７ｂで回転させながら端部に当接するまで回して図１に示す歯科用骨粉収集装置の組み付けを完了する。このときの切削部３のハウジング１４からの突出量は２〜５mmである。
【００２２】
この歯科用骨粉収集装置を歯科用ハンドピースＢのチャックＣに装着し、ハンドルストッパー１３の上端部１３ａを歯科用ハンドピースＢに当接させて歯科用骨粉収集装置回転しないようにする。
【００２３】
この歯科用ハンドピースＢを持って、患者のインプラント植設部位に切削具２の切削部３の先端を当て切削を開始する。直ぐにハウジング１４の先端外表面１８が歯肉等に当たり、切削具２がコイルスプリング６の弾発力に抗して、図５のような状態から図６のような最大押し縮め状態へとコイルスプリング６を押し縮めながら歯骨を切削する。この最大押し縮め状態での切削部３の先端からスプリング収納座８の下端までの寸法Ｌ１は１４〜１６mmで、切削部３の後端からスプリング収納座８の下端までの寸法Ｌ２は切削具２の
過度の削り込みを防ぐ可動範囲で２〜４mmである。
【００２４】
切削された骨粉Ａは、切削具２のらせん溝に沿って上昇させられ、骨粉収集部２１に送り込まれ、採集される。スプリング収納座８の裏面に到達した骨粉Ａは、ここで骨粉収集部２１に戻される。この間、水等を掛けることにより、切削具２、ハウジング１４及び骨粉Ａ等を冷やし、骨粉Ａに熱の影響を与えないようにする。
【００２５】
この様にして、熱の影響を受けない骨粉Ａが骨粉収集部２１に採集されたなら、チャックＣから歯科用骨粉収集装置を取り外し、ハンドルストッパー１３を横溝１７ｂ内で縦溝１７ａの位置まで回転させ、ハンドルストッパー１３を縦溝１７ａに沿って引き出し、蓋体９をハウジング１４の中空部１５から抜き出し、切削具２から取り外す。
【００２６】
この状態では、ハウジング１４は切削具２から取り外すことができ、骨粉収集部２１に採集された骨粉Ａをこぼすことのないようにして、必要な容器に採取する。コイルスプリングが組み付けられた切削具２，ハウジング１４及び蓋体９に３分割される。骨粉Ａを採取後は、それぞれを洗浄し、オートクレーブをも用いて消毒をする。
【００２７】
切削具２の切削部３の摩耗などが生じたときには、コイルスプリング６等を組み付けた切削具２をそのまま交換しても良いし、固定具４、座金５、コイルスプリング６、プリング収納座金８を取り外し、切削具２のみを交換しても良い。
【００２８】
さらに、切削採取された自分の骨粉Ａは、顎骨である歯槽骨に植設するインプラントと植設孔間の隙間を充填するように供給され、インプラントと顎の一体化の促進に役立っている。
【図面の簡単な説明】
【００２９】
【図１】本考案に係る歯科用骨粉収集装置の一実施例を一部破断して示す正面図である。
【図２】歯科用骨粉収集装置の平面図である。
【図３】歯科用骨粉収集装置の底面図である。
【図４】歯科用骨粉収集装置に用いられるハウジングの正面図である。
【図５】歯科用骨粉収集装置に用いられる切削具でコイルスプリングが伸びた状態を示す正面図である。
【図６】歯科用骨粉収集装置に用いられる切削具でコイルスプリングが縮んた状態を示す正面図である。
【図７】歯科用骨粉収集装置に用いられる蓋体であって一部破断して示す正面図である。
【符号の説明】
【００３０】
１  歯科用骨粉収集器
２  切削具
３  切削部
４  固定具
５  座金
６  コイルスプリング
７  凹部
８  スプリング収納座金
９  蓋体
１０  収納体
１２  収納孔
１３  ハンドルストッパー
１４  ハウジング
１５  中空部
１７  ガイド兼ストッパー溝
１８  底面部
１９  段差
２０  挿通孔
２１  骨粉収集部
２２  注水ガイド溝
A  骨粉
B  歯科用ハンドピース
C  チャック
【図１】
0003129142.tif 000003
【図２】
0003129142.tif 000004
【図３】
0003129142.tif 000005
【図４】
0003129142.tif 000006
【図５】
0003129142.tif 000007
【図６】
0003129142.tif 000008
【図７】
0003129142.tif 000009